(57)【要約】【課題】無線通信システム間において着信呼の優先度の取扱いが異なる場合でも、当該無線通信システムの状態に応じた適切な着信呼の制御を実現し得る移動機、通信制御装置及び通信制御方法を提供する。【解決手段】移動機300は、着信呼の処理の優先度を示す優先呼情報を通知するLTEシステムと、着信呼のアクセスクラスに応じて着信呼の規制を規定するアクセスクラス規制情報を報知する3Gシステムとに無線により接続可能である。移動機300は、優先呼情報による優先度が他の呼よりも優先して処理される優先呼であって、かつアクセスクラス規制情報による規制が設定されていた場合、アクセスクラス規制情報にかかわらず、3Gシステム20との接続を実行し、当該着信呼を処理する。【選択図】図４
2012039578.tif 000002
【特許請求の範囲】
【請求項１】
着信呼の処理の優先度を示す優先呼情報を通知する第１無線通信システムと、
前記着信呼のアクセスクラスに応じて前記着信呼の規制を規定するアクセスクラス規制情報を報知する第２無線通信システムと
に無線により接続可能な移動機であって、
前記優先呼情報による前記優先度が他の呼よりも優先して処理される優先呼であって、かつ前記アクセスクラス規制情報による前記規制が設定されていた場合、前記アクセスクラス規制情報にかかわらず、前記第２無線通信システムとの接続を実行し、前記着信呼を処理する移動機。
【請求項２】
着信呼の処理の優先度を示す優先呼情報を通知する第１無線通信システムと、
前記着信呼のアクセスクラスに応じて前記着信呼の規制を規定するアクセスクラス規制情報を報知する第２無線通信システムと
に無線により接続可能な移動機であって、
前記優先呼情報による前記優先度が他の呼よりも優先して処理される優先呼であって、かつ前記アクセスクラス規制情報による前記規制が設定されていた場合、
前記第２無線通信システムにおいて緊急呼、または前記第２無線通信システムにおいて前記規制の対象とならないアクセスクラスとして記憶し、前記第２無線通信システムとの接続を実行して前記着信呼を処理する移動機。
【請求項３】
着信呼の処理の優先度を示す優先呼情報を通知する第１無線通信システムと、
前記着信呼のアクセスクラスに応じて前記着信呼の規制を規定するアクセスクラス規制情報を報知する第２無線通信システムと
に無線により接続可能な移動機であって、
前記優先呼情報による前記優先度が他の呼よりも優先して処理される優先呼であって、かつ前記アクセスクラス規制情報が設定されていた場合、
前記優先呼情報による前記優先度にかかわらず、前記アクセスクラス規制情報に従って前記第２無線通信システムとの接続を実行し、前記着信呼を処理する移動機。
【請求項４】
前記アクセスクラス規制情報に従った前記第２無線通信システムとの接続が実行できない場合、前記移動機が在圏するセルと異なるセルを介して前記第２無線通信システムとの接続を実行する請求項３に記載の移動機。
【請求項５】
移動機に情報を送信する通信制御装置であって、
前記移動機への着信呼の処理の優先度を示す優先呼情報を通知する第１無線通信システムと、前記着信呼のアクセスクラスに応じて前記着信呼の規制を規定するアクセスクラス規制情報を報知する第２無線通信システムとにおいて、前記優先度と前記規制とが互いに矛盾する場合における前記移動機の動作を規定する動作規定情報、または前記アクセスクラス規制情報で規制されない前記アクセスクラスを前記移動機に送信する通信制御装置。
【請求項６】
着信呼の処理の優先度を示す優先呼情報を通知する第１無線通信システムと、
前記着信呼のアクセスクラスに応じて前記着信呼の規制を規定するアクセスクラス規制情報を報知する第２無線通信システムと
に無線により接続可能な移動機に対する通信制御方法であって、
前記優先呼情報による前記優先度が他の呼よりも優先して処理される優先呼であって、かつ前記アクセスクラス規制情報による前記規制が設定されていた場合、前記移動機に、前記アクセスクラス規制情報にかかわらず、前記第２無線通信システムとの接続を実行させ、前記着信呼を処理させる通信制御方法。
【請求項７】
着信呼の処理の優先度を示す優先呼情報を通知する第１無線通信システムと、
前記着信呼のアクセスクラスに応じて前記着信呼の規制を規定するアクセスクラス規制情報を報知する第２無線通信システムと
に無線により接続可能な移動機に対する通信制御方法であって、
前記優先呼情報による前記優先度が他の呼よりも優先して処理される優先呼であって、かつ前記アクセスクラス規制情報による前記規制が設定されていた場合、
前記移動機に、前記第２無線通信システムにおいて緊急呼、または前記第２無線通信システムにおいて前記規制の対象とならないアクセスクラスとして記憶し、前記第２無線通信システムとの接続を実行させ、前記着信呼を処理させる通信制御方法。
【請求項８】
着信呼の処理の優先度を示す優先呼情報を通知する第１無線通信システムと、
前記着信呼のアクセスクラスに応じて前記着信呼の規制を規定するアクセスクラス規制情報を報知する第２無線通信システムと
に無線により接続可能な移動機に対する通信制御方法であって、
前記優先呼情報による前記優先度が他の呼よりも優先して処理される優先呼であって、かつ前記アクセスクラス規制情報による前記規制が設定されていた場合、
前記移動機に、前記優先呼情報による前記優先度にかかわらず、前記アクセスクラス規制情報に従って前記第２無線通信システムとの接続を実行させ、前記着信呼を処理させる通信制御方法。
【発明の詳細な説明】
【技術分野】
【０００１】
本発明は、着信呼の処理の優先度を示す優先呼情報を通知する第１無線通信システムと、着信呼の規制を規定するアクセスクラス規制情報を報知する第２無線通信システムとに無線により接続可能な移動機、通信制御装置及び通信制御方法に関する。
【背景技術】
【０００２】
Long Term Evolution(LTE)のMultimedia Priority Service(MPS)では、着信呼の処理の優先度を示す優先呼情報を、着信信号（PAGING）やRRC CONNECTION RELEASEなどのRRC制御信号に含めて移動機に報知することが考えられている（非特許文献１参照）。移動機は、報知された優先度に基づいて、着信呼の優先制御を実行する。
【０００３】
一方、LTEシステム（以下、LTE）から3Gシステム（以下、3G）へのCS(Circuit Switched)フォールバック（以下、CSFB）では、移動機は、3GにおいてRRC CONNECTION REQUESTを送信する際に、3Gにおいて設定されたアクセスクラス規制情報（AC/DSAC/PPAC）に従うことが規定されている（非特許文献２参照）。
【先行技術文献】
【非特許文献】
【０００４】
【非特許文献１】3GPP TS 22.153, Technical Specification Group Services and System Aspects; Multimedia priority service
【非特許文献２】3GPP TS 25.331, Technical Specification Group Radio Access Network;Radio Resource Control (RRC);Protocol specification
【発明の概要】
【発明が解決しようとする課題】
【０００５】
しかしながら、上述した従来の方法には、次のような問題があった。すなわち、移動機がLTEから3GへのCSFBを行うと、3Gのアクセスクラス規制情報に従うこととなるため、LTEの優先呼情報が反映されない場合がある。このため、LTEにおいて他の呼よりも優先して処理する優先呼として取り扱われる着信呼が3Gのアクセスクラス規制情報によって規制され、結果的に当該移動機への着信が失敗する可能性がある。
【０００６】
そこで、本発明は、無線通信システム間において着信呼の優先度の取扱いが異なる場合でも、当該無線通信システムの状態に応じた適切な着信呼の制御を実現し得る移動機、通信制御装置及び通信制御方法の提供を目的とする。
【課題を解決するための手段】
【０００７】
本発明の特徴は、着信呼の処理の優先度を示す優先呼情報を通知する第１無線通信システム（LTEシステム10）と、前記着信呼のアクセスクラスに応じて前記着信呼の規制を規定するアクセスクラス規制情報を報知する第２無線通信システム（3Gシステム20）とに無線により接続可能な移動機（移動機300）であって、前記優先呼情報による前記優先度が他の呼よりも優先して処理される優先呼であって、かつ前記アクセスクラス規制情報が設定されていた場合、前記アクセスクラス規制情報にかかわらず、前記第２無線通信システムとの接続を実行し、前記着信呼を処理することを要旨とする。
【０００８】
本発明の特徴は、着信呼の処理の優先度を示す優先呼情報を通知する第１無線通信システムと、前記着信呼のアクセスクラスに応じて前記着信呼の規制を規定するアクセスクラス規制情報を報知する第２無線通信システムとに無線により接続可能な移動機であって、前記優先呼情報による前記優先度が他の呼よりも優先して処理される優先呼であって、かつ前記アクセスクラス規制情報が設定されていた場合、前記第２無線通信システムにおいて緊急呼、または前記第２無線通信システムにおいて前記規制の対象とならないアクセスクラスとして記憶し、前記第２無線通信システムとの接続を実行し、前記着信呼を処理することを要旨とする。
【０００９】
本発明の特徴は、着信呼の処理の優先度を示す優先呼情報を通知する第１無線通信システムと、前記着信呼のアクセスクラスに応じて前記着信呼の規制を規定するアクセスクラス規制情報を報知する第２無線通信システムとに無線により接続可能な移動機であって、前記優先呼情報による前記優先度が他の呼よりも優先して処理される優先呼であって、かつ前記アクセスクラス規制情報による前記規制が設定されていた場合、前記優先呼情報による前記優先度にかかわらず、前記アクセスクラス規制情報に従って前記第２無線通信システムとの接続を実行し、前記着信呼を処理することを要旨とする。
【００１０】
また、移動機は、前記アクセスクラス規制情報に従った前記第２無線通信システムとの接続が実行できない場合、前記移動機が在圏するセルと異なるセルを介して前記第２無線通信システムとの接続を実行してもよい。
【００１１】
本発明の特徴は、移動機に情報を送信する通信制御装置（例えば、eNodeB110）であって、前記移動機への着信呼の処理の優先度を示す優先呼情報を通知する第１無線通信システムと、前記着信呼のアクセスクラスに応じて前記着信呼の規制を規定するアクセスクラス規制情報を報知する第２無線通信システムとにおいて、前記優先度と前記規制とが互いに矛盾する場合における前記移動機の動作を規定する動作規定情報、または或いは前記アクセスクラス規制情報アクセスクラス規制情報で規制されない前記アクセスクラスを前記移動機に送信することを要旨とする。
【００１２】
本発明の特徴は、着信呼の処理の優先度を示す優先呼情報を通知する第１無線通信システムと、前記着信呼のアクセスクラスに応じて前記着信呼の規制を規定するアクセスクラス規制情報を報知する第２無線通信システムとに無線により接続可能な移動機に対する通信制御方法であって、前記優先呼情報による前記優先度が他の呼よりも優先して処理される優先呼であって、かつ前記アクセスクラス規制情報が設定されていた場合、前記移動機に、前記アクセスクラス規制情報にかかわらず、前記第２無線通信システムとの接続を実行させ、前記着信呼を処理させることを要旨とする。
【００１３】
本発明の特徴は、着信呼の処理の優先度を示す優先呼情報を報知する第１無線通信システムと、前記着信呼のアクセスクラスに応じて前記着信呼の規制を規定するアクセスクラス規制情報を報知する第２無線通信システムとに無線により接続可能な移動機に対する通信制御方法であって、前記優先呼情報による前記優先度が他の呼よりも優先して処理される優先呼であって、かつ前記アクセスクラス規制情報が設定されていた場合、前記移動機に、前記第２無線通信システムにおいて緊急呼、または前記第２無線通信システムにおいて前記規制の対象とならないアクセスクラスとして記憶し、前記第２無線通信システムとの接続を実行させ、前記着信呼を処理させることを要旨とする。
【００１４】
本発明の特徴は、着信呼の処理の優先度を示す優先呼情報を通知する第１無線通信システムと、前記着信呼の種別に応じて前記着信呼の規制を規定するアクセスクラス規制情報を報知する第２無線通信システムとに無線により接続可能な移動機に対する通信制御方法であって、前記優先呼情報による前記優先度が他の呼よりも優先して処理される優先呼であって、かつ前記アクセスクラス規制情報が設定されていた場合、前記移動機に、前記優先呼情報による前記優先度にかかわらず、前記アクセスクラス規制情報に従って前記第２無線通信システムとの接続を実行させ、前記着信呼を処理させることを要旨とする。
【発明の効果】
【００１５】
本発明の特徴によれば、無線通信システム間において着信呼の優先度の取扱いが異なる場合でも、当該無線通信システムの状態に応じた適切な着信呼の制御を実現し得る。
【図面の簡単な説明】
【００１６】
【図１】本発明の実施形態に係る無線通信システムの全体概略構成図である。
【図２】本発明の実施形態に係る移動機300の機能ブロック構成図である。
【図３】本発明の実施形態に係る、eNodeB110の機能ブロック構成図である。
【図４】本発明の実施形態に係る無線通信システムの全体通信シーケンスを示す図である。
【図５】本発明の実施形態に係る移動機300の動作フロー（実施例１）を示す図である。
【図６】本発明の実施形態に係る移動機300の動作フロー（実施例２）を示す図である。
【図７】本発明の実施形態に係る移動機300の動作フロー（実施例３）を示す図である。
【発明を実施するための形態】
【００１７】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１８】
したがって、具体的な寸法などは以下の説明を参酌して判断すべきものである。また、図面相互間においても互いの寸法の関係や比率が異なる部分が含まれていることは勿論である。
【００１９】
（１）無線通信システムの全体概略構成
図１は、本実施形態に係る無線通信システムの全体概略構成図である。図１に示すように、本実施形態に係る無線通信システムは、LTEシステム10と、3Gシステム20とによって構成される。
【００２０】
LTEシステム10は、LTE方式に従った無線通信システムである。3Gシステム20は、3G方式（W-CDMA）に従った無線通信システムである。
【００２１】
LTEシステム10には、LTEコアネットワーク11及びeNodeB110が含まれる。3Gシステム20には、3Gコアネットワーク21、RNC210及びBTS220が含まれる。
【００２２】
移動機300は、LTEシステム10及び3Gシステム20に無線により接続可能である。具体的には、移動機300は、eNodeB110と無線通信を実行し、LTEシステム10に接続する。また、移動機300は、BTS220と無線通信を実行し、3Gシステム20に接続する。
【００２３】
LTEシステム10（第１無線通信システム）は、移動機300に各種の報知情報を送信する。具体的には、eNodeB110は、Multimedia Priority Service(MPS)に基づいて、移動機300への着信呼の処理の優先度を示す優先呼情報を着信信号（PAGING）に含める。eNodeB110は、当該着信信号をeNodeB110によって形成されるセルC1に向けて報知する。
【００２４】
3Gシステム20（第２無線通信システム）、具体的には、RNC210は、移動機300への着信呼の種別に応じて当該着信呼の規制を規定するアクセスクラス規制情報を、BTS220によって形成されるセルC2に向けて報知する。
【００２５】
また、eNodeB110は、優先呼情報による優先度と、アクセスクラス規制情報による規制とが互いに矛盾する場合における移動機300の動作を規定する報知情報を移動機300に送信する。
【００２６】
（２）無線通信システムの機能ブロック構成
次に、上述した無線通信システムを構成する装置のうち、主な装置の機能ブロック構成について説明する。
【００２７】
図２は、移動機300の機能ブロック構成図である。また、図３は、eNodeB110の機能ブロック構成図である。
【００２８】
（２．１）移動機300
図２に示すように、移動機300は、第１無線通信部301、第２無線通信部303、報知情報取得部305、着信処理部307及び優先呼処理部309を備える。
【００２９】
第１無線通信部301は、LTE方式に従った無線通信をeNodeB110と実行する。第２無線通信部303は、3G方式に従った無線通信をBTS220と実行する。
【００３０】
報知情報取得部305は、eNodeB110から送信される報知情報を取得する。具体的には、報知情報取得部305は、移動機300への着信呼の処理の優先度を示す優先呼情報を取得する。また、報知情報取得部305は、優先呼情報による優先度と、アクセスクラス規制情報による規制とが互いに矛盾する場合における移動機300の動作を規定する動作規定情報を取得することもできる。
【００３１】
着信処理部307は、移動機300への着信呼の処理を実行する。具体的には、着信処理部307は、LTEシステム10を介して移動機300に着信した着信呼を処理し、当該着信呼の生成元との通信経路を設定する。
【００３２】
また、着信処理部307は、LTEシステム10から3Gシステム20へのCS(Circuit Switched)フォールバック（CSFB）を実行する。すなわち、着信処理部307は、3Gシステム20を介して当該着信呼の処理を実行する。この場合、着信処理部307は、LTEの優先呼情報と、3Gのアクセスクラス規制情報とに基づいて、着信呼の処理内容を決定する。
【００３３】
優先呼処理部309は、着信処理部307によって決定された着信呼の処理内容に基づいて、CSFBの対象となった着信呼の優先度が他の呼よりも優先して処理される優先呼である場合、当該優先呼の接続処理を実行する。なお、着信呼（優先呼）の処理内容の詳細については後述する。
【００３４】
（２．２）eNodeB110
図３に示すように、eNodeB110は、無線通信部111及び報知情報生成部113を備える。本実施形態において、eNodeB110は、移動機300に情報を送信する通信制御装置を構成する。
【００３５】
無線通信部111は、LTE方式に従った無線通信を移動機300と実行する。
【００３６】
報知情報生成部113は、移動機300に送信される報知情報を生成する。具体的には、報知情報生成部113は、移動機300への着信呼の処理の優先度を示す優先呼情報を生成する。
【００３７】
また、報知情報生成部113は、優先呼情報による優先度と、アクセスクラス規制情報による規制とが互いに矛盾する場合における移動機300の動作を規定する動作規定情報を生成する。動作規定情報は、LTEの優先呼情報によって規定される優先度と、アクセスクラス規制情報によって規定される規制（AC/DSAC/PPAC）との何れを優先するかを規定する。なお、ACはAccess Control、DSASはDomain Specific Access Control、PPACはPaging Permission with Access Controlであり、規制レベルがそれぞれ異なる場合がある。なお、報知情報生成部113は、移動機300が3Gシステム20に遷移後、3Gシステム20のアクセスクラス規制を突破するアクセスクラス（緊急呼や優先呼など）を指示してもよい。
【００３８】
報知情報生成部113によって生成された優先呼情報及び動作規定情報は、無線通信部111を介して移動機300に送信される。
【００３９】
優先呼情報は、PAGINGまたはRRC CONNECTION RELEASEに含めて通知される。動作規定情報は、PAGINGまたはRRC CONNECTION RELEASEに含めて送信することができる。また、動作規定情報は、RRC CONNECTION RELEASEに載せられるUTRA-SIB情報に含めるようにしてもよい。或いは、動作規定情報は、独立した報知情報として送信してもよい。
【００４０】
（３）無線通信システムの動作
次に、図４〜図７を参照して、上述した無線通信システムの動作について説明する。図４は、本実施形態に係る無線通信システムの全体通信シーケンスを示す。図５〜図７は、CSFBを実行する場合における移動機300の動作フローを示す。
【００４１】
（３．１）全体通信シーケンス
図４に示すように、ステップＳ１０において、eNodeB110は、Redirectionを用いたCSFB手順に基づいてPAGINGを移動機300に向けて送信する。上述したように、PAGINGには、優先呼情報が含まれる。
【００４２】
ステップＳ２０において、移動機300は、RRC CONNECTION REQUESTをeNodeB110に向けて送信する。
【００４３】
ステップＳ３０において、eNodeB110は、移動機300から受信したRRC CONNECTION REQUESTに基づいて、RRC CONNECTION RELEASEを移動機300に送信する。これにより、3Gシステム20へのフォールバックが指示される。
【００４４】
ステップＳ４０において、移動機300は、PAGINGに含まれている優先呼情報に基づいて、移動機300への着信呼が優先呼であることを記憶する。
【００４５】
ステップＳ５０において、RNC210は、移動機300への着信呼の種別に応じて当該着信呼の規制を規定するアクセスクラス規制情報を、BTS220を介して移動機300に向けて送信する。なお、移動機300がアクセスクラス規制情報を受信するタイミングは、必ずしもステップＳ４０の後でなくても構わない。
【００４６】
ステップＳ６０において、移動機300は、受信したアクセスクラス規制情報を参照し、3Gシステム20における規制（着信規制）の種別を判定する。
【００４７】
ステップＳ７０において、移動機300は、3Gのアクセスクラス規制（着信規制）に応じた着信呼（優先呼）の接続処理を実行する。なお、当該処理の詳細については後述する。
【００４８】
ステップＳ８０において、移動機300は、当該優先呼の接続処理結果に基づいて、3Gシステム20を経由した当該優先呼の接続を要求するRRC CONNECTION REQUESTをRNC210に送信する。なお、このRRC CONNECTION REQUESTには優先呼の着信であることを示すEstablishment causeを設定してもよい。
【００４９】
（３．２）移動機300の動作フロー
次に、移動機300の動作フロー、具体的には、上述したステップＳ７０（優先呼接続処理）及びステップＳ８０における移動機300の動作について説明する。
【００５０】
移動機300は、優先呼情報による着信呼の優先度が優先呼であって、かつアクセスクラス規制情報による規制が設定されていた場合、実施例１〜実施例３に示すような動作を実行することができる。
【００５１】
（３．２．１）実施例１
図５に示すように、ステップＳ１１０において、移動機300は、LTEの優先呼情報による着信呼の優先度と比較して、3Gのアクセスクラス規制情報によって規定される規制（AC/DSAC/PPAC）が無視可能な優先度か否かを判定する。なお、この判定は、RRCレイヤで実施してもよいし、サービスアプリケーションレイヤで実施してもよい。
【００５２】
例えば、優先呼情報による優先度が「高」であって、アクセスクラス規制情報によって規制対象のアクセスクラスが規定されている場合、当該規制（着信規制）を無視できると判定される。
【００５３】
着信規制が無視可能な優先度である場合（ステップＳ１１０のＹＥＳ）、ステップＳ１２０において、移動機300は、当該3Gセル（セルC2）においてRRC CONNECTION REQUESTを送信する。
【００５４】
着信規制が無視可能な優先度でない場合（ステップＳ１１０のＮＯ）、ステップＳ１３０において、移動機300は、当該3Gセル（セルC2）において発信が不可のため、別の3Gセルをサーチする。
【００５５】
このように、実施例１では、移動機300は、アクセスクラス規制情報による規制にかかわらず、3Gシステム20との接続を実行し、当該着信呼を処理する。
【００５６】
また、移動機300は、着信規制が無視可能な優先度でない場合、移動機300が在圏するセルと異なるセルを介して3Gシステム20との接続を実行することができる。
【００５７】
（３．２．２）実施例２
図６に示すように、ステップＳ２１０において、移動機300は、LTEの優先呼情報による着信呼の優先度が3Gシステム20において緊急呼として発信可能な優先度か否かを判定する。なお、緊急呼とは、アクセスクラス規制の対象とならない着信呼である。
【００５８】
例えば、優先呼情報による優先度が「高」である場合、緊急呼として発信可能な優先度と判定される。
【００５９】
ステップＳ２２０及びＳ２３０の処理は、ステップＳ１２０及びＳ１３０と同様である。
【００６０】
このように、実施例２では、移動機300は、3Gシステム20において他の何れの呼よりも優先して処理される緊急呼として3Gシステム20との接続を実行し、当該着信呼を処理する。なお、移動機300は、緊急呼ではなく、3Gシステム20において規制の対象とならないアクセスクラスの着信呼として、3Gシステム20との接続を実行してもよい。
【００６１】
また、移動機300は、優先呼情報による着信呼の優先度が3Gシステム20において緊急呼として発信可能な優先度でない場合、移動機300が在圏するセルと異なるセルを介して3Gシステム20との接続を実行することができる。
【００６２】
（３．２．３）実施例３
図７に示すように、ステップＳ３０５において、移動機300は、LTEの優先呼情報を無視する。
【００６３】
ステップＳ３１０において、移動機300は、当該着信呼が3Gのアクセスクラス規制情報によって規定される着信規制の対象外か否かを判定する。
【００６４】
例えば、優先呼情報による優先度が「低」である場合、アクセスクラス規制情報に従うと判定される。
【００６５】
ステップＳ３２０及びＳ３３０の処理は、ステップＳ１２０及びＳ１３０と同様である。
【００６６】
このように、実施例３では、移動機300は、優先呼情報による優先度にかかわらず、アクセスクラス規制情報による規制に従って3Gシステム20との接続を実行し、当該着信呼を処理する。
【００６７】
また、移動機300は、アクセスクラス規制情報による規制に従った3Gシステム20との接続が実行できない場合、移動機300が在圏するセルと異なるセルを介して3Gシステム20との接続を実行することができる。
【００６８】
（４）作用・効果
本実施形態に係る無線通信システムによれば、移動機300は、LTEの優先呼情報による着信呼の優先度が優先呼であって、かつ3Gのアクセスクラス規制情報による規制が設定されていた場合、実施例１〜実施例３に示すような動作を実行する。
【００６９】
このため、LTEにおいて優先呼として取り扱われる着信呼が3Gのアクセスクラス規制情報によって規制され、結果的に当該移動機への着信が失敗する可能性を低減できる。すなわちLTEシステム10と3Gシステム20との間において着信呼の優先度の取扱いが異なる場合でも、当該無線通信システムの状態に応じた適切な着信呼の制御を実現し得る。
【００７０】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００７１】
例えば、優先呼情報による優先度と、アクセスクラス規制情報による規制とが互いに矛盾する場合における移動機300の動作を規定する動作規定情報は、LTEシステム10からではなく、3Gシステム20から報知してもよい。
【００７２】
上述した実施形態では、第１無線通信システムがLTEシステム10、第２無線通信システムが3Gシステム20であるものとして説明したが、必ずしもこのような構成に限定されない。例えば、両方のシステムがLTEシステムでもよく、LTEシステムがCSFBに関するアクセスクラス規制情報を報知してもよい。
【００７３】
上述した実施形態では、移動機300が実施例１〜実施例３の動作を別個に実行するものとして説明したが、ステップＳ１１０、Ｓ２１０及びＳ３１０の判断がすべて「ＮＯ」である場合に別の3Gセルをサーチするようにしてもよい。また、実施例１のステップＳ１３０、及び実施例２のステップＳ２３０は、必ずしも実行されなくても構わない。
【００７４】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００７５】
１０…LTEシステム
11…LTEコアネットワーク
20…3Gシステム
21…3Gコアネットワーク
110…eNodeB
111…無線通信部
113…報知情報生成部
210…RNC
220…BTS
300…移動機
301…第１無線通信部
303…第２無線通信部
305…報知情報取得部
307…着信処理部
309…優先呼処理部
【図１】
2012039578.tif 000003
【図２】
2012039578.tif 000004
【図３】
2012039578.tif 000005
【図４】
2012039578.tif 000006
【図５】
2012039578.tif 000007
【図６】
2012039578.tif 000008
【図７】
2012039578.tif 000009